(57)【要約】【課題】パチンコ遊技機とスロットマシンとを混合させつつ任意位置に容易かつ円滑に設置することができるとともに、パチンコ遊技機から排出された遊技球とスロットマシンから排出されたメダルとを確実に区分けして回収させることができる島設備を提供する。【解決手段】遊技球を使用して遊技するパチンコ遊技機Ｐ及びメダルを使用して遊技するスロットマシンＳを混合させつつ任意位置に設置可能とされた島設備１であって、パチンコ遊技機Ｐから排出された遊技球を搬送可能な遊技球搬送部Ｂｂと、スロットマシンＳから排出されたメダルを搬送可能なメダル搬送部Ｂａとを具備し、パチンコ遊技機Ｐから遊技球搬送部Ｂｂに向かって遊技球を排出させるための遊技球排出流路Ｐａを延設させるとともに、スロットマシンＳからメダル搬送部Ｂａに向かってメダルを排出させるためのメダル排出流路Ｓａを延設させたものである。【選択図】図４
2014108229.tif 000002
【特許請求の範囲】
【請求項１】
遊技球を使用して遊技するパチンコ遊技機及びメダルを使用して遊技するスロットマシンを混合させつつ任意位置に設置可能とされた島設備であって、
前記パチンコ遊技機から排出された遊技球を搬送可能な遊技球搬送部と、
前記スロットマシンから排出されたメダルを搬送可能なメダル搬送部と、
を具備し、前記パチンコ遊技機から前記遊技球搬送部に向かって遊技球を排出させるための遊技球排出流路を延設させるとともに、前記スロットマシンから前記メダル搬送部に向かってメダルを排出させるためのメダル排出流路を延設させたことを特徴とする島設備。
【請求項２】
長手方向に亘って搬送ベルトを回動させるベルト式搬送コンベアを配設させ、その搬送ベルトにおける一方の島端に向かう部位が前記遊技球搬送部とされるとともに、当該搬送ベルトにおける他方の島端に向かう部位が前記メダル搬送部とされたことを特徴とする請求項１記載の島設備。
【請求項３】
前記一方の島端には、回収した遊技球を揚送して各パチンコ遊技機に補給可能とし得る遊技球用補給装置が配設されるとともに、前記他方の島端には、回収したメダルを揚送して各スロットマシンに補給可能とし得るメダル用補給装置が配設されたことを特徴とする請求項１又は請求項２記載の島設備。
【発明の詳細な説明】
【技術分野】
【０００１】
本発明は、遊技球を使用して遊技するパチンコ遊技機及びメダルを使用して遊技するスロットマシンを混合させつつ任意位置に設置可能とされた島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して遊技球を補給するための補給レーン及び当該パチンコ遊技機から遊技球を回収するための回収レーンが配設されている。一方、パチスロ等のスロットマシンの島設備は、パチンコ遊技機の島設備と同様、パチンコ店内ホールに設置され、複数のスロットマシンが横並びに配設されるとともに、それらスロットマシンに対してメダルを補給するための補給コンベア及び当該スロットマシンからメダルを回収するための回収コンベアが配設されている。尚、かかる先行技術は、文献公知発明に係るものでないため、記載すべき先行技術文献情報はない。
【発明の概要】
【発明が解決しようとする課題】
【０００３】
しかしながら、上記従来の島設備においては、パチンコ遊技機とスロットマシンとでは使用される遊技媒体が遊技球とメダルとで異なるため、これら遊技機を混合させて１つの島設備に配設させるのが困難であった。しかるに、パチンコ店内のホールの有効利用や島外ホールにおけるレイアウトの自由度の向上等を目的として、１つの島設備にパチンコ遊技機とスロットマシンとを混合して配設させるニーズが高まりつつあり、これに対応すべく本出願人は鋭意検討するに至った。しかるに、１つの島設備にパチンコ遊技機とスロットマシンとを混合して配設させた場合、パチンコ遊技機から排出された遊技球とスロットマシンから排出されたメダルとが混在して回収されてしまう虞がある。
【０００４】
本発明は、このような事情に鑑みてなされたもので、パチンコ遊技機とスロットマシンとを混合させつつ任意位置に容易かつ円滑に設置することができるとともに、パチンコ遊技機から排出された遊技球とスロットマシンから排出されたメダルとを確実に区分けして回収させることができる島設備を提供することにある。
【課題を解決するための手段】
【０００５】
請求項１記載の発明は、遊技球を使用して遊技するパチンコ遊技機及びメダルを使用して遊技するスロットマシンを混合させつつ任意位置に設置可能とされた島設備であって、前記パチンコ遊技機から排出された遊技球を搬送可能な遊技球搬送部と、前記スロットマシンから排出されたメダルを搬送可能なメダル搬送部とを具備し、前記パチンコ遊技機から前記遊技球搬送部に向かって遊技球を排出させるための遊技球排出流路を延設させるとともに、前記スロットマシンから前記メダル搬送部に向かってメダルを排出させるためのメダル排出流路を延設させたことを特徴とする。
【０００６】
請求項２記載の発明は、請求項１記載の島設備において、長手方向に亘って搬送ベルトを回動させるベルト式搬送コンベアを配設させ、その搬送ベルトにおける一方の島端に向かう部位が前記遊技球搬送部とされるとともに、当該搬送ベルトにおける他方の島端に向かう部位が前記メダル搬送部とされたことを特徴とする。
【０００７】
請求項３記載の発明は、請求項１又は請求項２記載の島設備において、前記一方の島端には、回収した遊技球を揚送して各パチンコ遊技機に補給可能とし得る遊技球用補給装置が配設されるとともに、前記他方の島端には、回収したメダルを揚送して各スロットマシンに補給可能とし得るメダル用補給装置が配設されたことを特徴とする。
【発明の効果】
【０００８】
請求項１の発明によれば、パチンコ遊技機から排出された遊技球を搬送可能な遊技球搬送部と、スロットマシンから排出されたメダルを搬送可能なメダル搬送部とを具備し、パチンコ遊技機から遊技球搬送部に向かって遊技球を排出させるための遊技球排出流路を延設させるとともに、スロットマシンからメダル搬送部に向かってメダルを排出させるためのメダル排出流路を延設させたので、パチンコ遊技機とスロットマシンとを混合させつつ任意位置に容易かつ円滑に設置することができるとともに、パチンコ遊技機から排出された遊技球とスロットマシンから排出されたメダルとを確実に区分けして回収させることができる。
【０００９】
請求項２の発明によれば、長手方向に亘って搬送ベルトを回動させるベルト式搬送コンベアを配設させ、その搬送ベルトにおける一方の島端に向かう部位が遊技球搬送部とされるとともに、当該搬送ベルトにおける他方の島端に向かう部位がメダル搬送部とされたので、パチンコ遊技機とスロットマシンとを混合させつつ任意位置に容易かつ円滑に設置することができるとともに、遊技球の回収手段とメダルの回収手段とをベルト式搬送コンベアにて兼用させることができる。
【００１０】
請求項３の発明によれば、一方の島端には、回収した遊技球を揚送して各パチンコ遊技機に補給可能とし得る遊技球用補給装置が配設されるとともに、他方の島端には、回収したメダルを揚送して各スロットマシンに補給可能とし得るメダル用補給装置が配設されたので、遊技球及びメダルの回収に加え、それら遊技球及びメダルのパチンコ遊技機及びスロットマシンに対する補給も容易かつ円滑に行わせることができる。
【図面の簡単な説明】
【００１１】
【図１】本発明の実施形態に係る島設備を示す全体正面図
【図２】同島設備を示す全体背面図
【図３】同島設備を示す全体平面図
【図４】同島設備を横断面した模式図
【図５】同島設備におけるベルト式搬送コンベアを示す正面図
【図６】同ベルト式搬送コンベアを示す平面図
【図７】図５におけるＶＩＩ−ＶＩＩ線断面図
【図８】本発明の他の実施形態に係る島設備を示す全体正面図
【図９】同他の実施形態に係る島設備を示す全体背面図
【図１０】本発明の更に他の実施形態に係る島設備を示す全体正面図
【図１１】同更に他の実施形態に係る島設備を示す全体背面図
【発明を実施するための形態】
【００１２】
以下、本発明の実施形態について図面を参照しながら具体的に説明する。
本実施形態に係る島設備は、パチンコ遊技店内のホールに固定されるもので、図１〜３に示すように、遊技球を使用して遊技するパチンコ遊技機Ｐ及びメダルを使用して遊技するスロットマシンＳを混合させつつ任意位置に設置可能とされたもので、本実施形態においては、正面側に複数のパチンコ遊技機Ｐ（図１参照）が設置されるとともに、背面側に複数のスロットマシンＳ（パチスロと称される遊技機）（図２参照）が設置されたものである。
【００１３】
また、本実施形態に係る島設備１は、一方の島端１ａに配設された遊技球用補給装置２と、他方の島端１ｂに配設されたメダル用補給装置３とを有するとともに、パチンコ遊技機Ｐに遊技球を補給するための補給レーン８と、遊技球及びメダルを回収するためのベルト式搬送コンベア４とを内部に有して構成されている。なお、図中符号１２は、パチンコ遊技機Ｐが配設された部位の下部に形成された膳板を示しており、符号１３は、スロットマシンＳを載置して取り付けるための取付板を示している。
【００１４】
補給レーン８は、島設備１の内部における上部位置で所定角度傾斜しつつ長手方向に延設された樋状の部材から成り、遊技球用補給装置２から供給された遊技球を流下させ、パチンコ遊技機Ｐ及びそれに隣接する玉貸機に遊技球を補給するためのものである。具体的には、補給レーン８におけるパチンコ遊技機Ｐ及びそれに隣接する玉貸機の配設箇所に対応するそれぞれの部位には、補給シュート（不図示）が接続されており、当該補給シュートを介して各パチンコ遊技機Ｐ及び玉貸機に遊技球が落下して補給可能とされているのである。
【００１５】
遊技球用補給装置２は、島設備１の一方の島端１ａに配設され、ベルト式搬送コンベア４にて回収した遊技球を揚送して各パチンコ遊技機Ｐに補給可能とし得るものである。かかる遊技球用補給装置２は、遊技球研磨装置５と、遊技球を揚送するための揚送機６（リフタ）と、供給タンク７とを有しており、ベルト式搬送コンベア４を介して回収された遊技球を遊技球研磨装置５にて研磨した後、揚送機６にて供給タンク７まで揚送し得るよう構成されている。そして、供給タンク７から補給レーン８を介して各パチンコ遊技機Ｐ等に遊技球を流下させて補給可能とされている。
【００１６】
メダル用補給装置３は、島設備１の他方の島端１ｂに配設され、ベルト式搬送コンベア４にて回収したメダルを揚送して各スロットマシンＳに補給可能とし得るものである。かかるメダル用補給装置３は、メダル洗浄機９と、メダルを揚送するための揚送機１０（リフタ）と、ジョッキ１１とを有しており、ベルト式搬送コンベア４を介して回収されたメダルをメダル洗浄機９にて洗浄した後、揚送機１０にてジョッキ１１まで揚送し得るよう構成されている。そして、所定量のメダルが収容されたジョッキ１１を作業員が持ち運んで各スロットマシンＳ等に当該メダルを補給可能とされている。
【００１７】
ベルト式搬送コンベア４は、島設備１の内部における下部位置で長手方向に延設された搬送手段から成り、パチンコ遊技機Ｐから排出された遊技球を一方の島端１ａに向かって搬送させて回収するとともに、スロットマシンＳから排出されたメダルを他方の島端１ｂに向かって搬送させて回収し得るよう構成されている。かかるベルト式搬送コンベア４は、図５〜７に示すように、一方の島端１ａと他方の島端１ｂとの間に亘って回動可能な搬送ベルトＢと、該搬送ベルトＢの両側面（左右側面）を覆う如く配設された板状のフレームＦとを有して構成されている。
【００１８】
搬送ベルトＢは、一方の島端１ａ側に配設されたプーリＰ１と他方の島端１ｂ側に配設されたプーリＰ２とに懸架され、これらプーリＰ１又はプーリＰ２を回転駆動させることにより、一方の島端１ａと他方の島端１ｂとの間に亘って回動可能とされている。しかるに、搬送ベルトＢは、一方の島端１ａから他方の島端１ｂに向かって移動する部位としてのメダル搬送部Ｂａ（図中、上側に位置する部位）と、他方の島端１ｂから一方の島端１ａに向かって移動する部位としての遊技球搬送部Ｂｂ（図中、下側に位置する部位）とを有するものとされる。なお、一方の島端１ａから他方の島端１ｂに向かう方向を符号ａで示し、他方の島端１ｂから一方の島端１ａに向かう方向を符号ｂで示すものとする。
【００１９】
ここで、本実施形態に係るベルト式搬送コンベア４は、その搬送ベルトＢにおける一方の島端１ａに向かう遊技球搬送部Ｂｂに対してパチンコ遊技機Ｐから遊技球を排出させて当該一方の島端１ａまで搬送可能とされるとともに、当該搬送ベルトＢにおける他方の島端１ｂに向かうメダル搬送部Ｂａに対してスロットマシンＳからメダルを排出させて当該他方の島端１ｂまで搬送可能とされている。
【００２０】
すなわち、図４に示すように、パチンコ遊技機Ｐの背面側に設置されたアウトボックスＰｂから遊技球搬送部Ｂｂに向かって遊技球を排出させるための遊技球排出流路Ｐａを延設させるとともに、スロットマシンＳの下部に配設された収容ホッパＳｂからメダル搬送部Ｂａに向かってメダルを排出させるためのメダル排出流路Ｓａを延設させて構成されているのである。
【００２１】
しかるに、フレームＦにおけるパチンコ遊技機Ｐの設置部位に対応する位置であって遊技球搬送部Ｂｂの搬送面に対応する高さには、図５に示すように、導入孔Ｆａが形成されており、この導入孔Ｆａに遊技球排出流路Ｐａの先端が接続されている。これにより、パチンコ遊技機Ｐから排出された遊技球がアウトボックスＰｂを介して遊技球排出流路Ｐａを流下し、搬送ベルトＢにおける遊技球搬送部Ｂｂに至るようになっている。
【００２２】
さらに、フレームＦにおける搬送ベルトＢのプーリＰ１近傍であってメダル搬送部Ｂｂの搬送面より僅かに高い位置には、図７に示すように、排出手段１４が配設されているとともに、フレームＦにおける当該排出手段１４に隣接する部位には開口Ｆｂが形成されている。この排出手段１４にはテーパ面１４ａが形成されており、遊技球搬送部Ｂｂにて搬送される遊技球を当該テーパ面１４ａに干渉させ、その搬送方向を側方に変換させて開口Ｆｂから排出させ得るようになっている。なお、開口Ｆｂからは、遊技球を遊技球研磨装置５まで案内する案内路１５が形成されている。
【００２３】
しかして、パチンコ遊技機ＰのアウトボックスＰｂから排出された遊技球は、遊技球排出流路Ｐａを介して遊技球搬送部Ｂｂに至り、ベルト式搬送コンベア４の搬送ベルトＢにてｂ方向に搬送されるとともに、排出手段１４にて案内路１５に向けて排出されて遊技球用補給装置２における遊技球研磨装置５まで案内されることとなる。なお、搬送ベルトＢの両側面は、板状部材から成るフレームＦにて覆われて遊技球搬送部Ｂｂの搬送空間が略閉空間とされていることから、搬送過程の遊技球が左右方向に落下してしまうのを防止している。
【００２４】
また、搬送ベルトＢにおけるメダル搬送部Ｂａは、図４に示すように、上方に開放されており、各スロットマシンＳの収容ホッパＳｂから延設されたメダル排出流路Ｓａは、当該メダル搬送部Ｂａの上方で開口して成るものとされている。これにより、スロットマシンＳから排出されたメダルが収容ホッパＳｂを介してメダル排出流路Ｓａを流下し、搬送ベルトＢにおけるメダル搬送部Ｂａに至るようになっている。
【００２５】
メダル搬送部Ｂａに至ったメダルは、ベルト式搬送コンベア４の搬送ベルトＢにてａ方向に搬送され、当該メダル搬送部Ｂａの終端からメダル用補給装置３におけるメダル洗浄機９の収容部に落下するよう構成されている。なお、搬送ベルトＢの両側面は、板状部材から成るフレームＦにて覆われているとともに、当該フレームＦがメダル搬送部Ｂａの搬送面より高い位置まで延びていることから、搬送過程のメダルが左右方向に落下してしまうのを防止している。
【００２６】
上記実施形態によれば、パチンコ遊技機Ｐから排出された遊技球を一方の島端１ａに向かって搬送させて回収するとともに、スロットマシンＳから排出されたメダルを他方の島端１ｂに向かって搬送させて回収する構成とされたので、パチンコ遊技機ＰとスロットマシンＳとを混合させつつ任意位置に容易かつ円滑に設置することができる。なお、本実施形態においては、搬送ベルトＢの上側に位置する部位がメダル搬送部、及び下側に位置する部位が遊技球搬送部とされているが、搬送ベルトＢの下側に位置する部位がメダル搬送部、及び上側に位置する部位が遊技球搬送部とするようにしてもよい。
【００２７】
また、一方の島端１ａには、回収した遊技球を揚送して各パチンコ遊技機Ｐに補給可能とし得る遊技球用補給装置２が配設されるとともに、他方の島端１ｂには、回収したメダルを揚送して各スロットマシンＳに補給可能とし得るメダル用補給装置３が配設されたので、遊技球及びメダルの回収に加え、それら遊技球及びメダルのパチンコ遊技機Ｐ及びスロットマシンＳに対する補給も容易かつ円滑に行わせることができる。
【００２８】
さらに、一方の島端１ａと他方の島端１ｂとの間に亘って搬送ベルトＢを回動させるベルト式搬送コンベア４を配設させ、その搬送ベルトＢにおける一方の島端１ａに向かう部位から成る遊技球搬送部Ｂｂに対してパチンコ遊技機Ｐから遊技球を排出させて当該一方の島端１ａまで搬送可能とされるとともに、当該搬送ベルトＢにおける他方の島端１ｂに向かう部位から成るメダル搬送部Ｂａに対してスロットマシンＳからメダルを排出させて当該他方の島端１ｂまで搬送可能とされたので、パチンコ遊技機ＰとスロットマシンＳとを混合させつつ任意位置に容易かつ円滑に設置することができるとともに、遊技球の回収手段とメダルの回収手段とをベルト式搬送コンベア４にて兼用させることができる。
【００２９】
またさらに、パチンコ遊技機Ｐから遊技球搬送部Ｂｂに向かって遊技球を排出させるための遊技球排出流路Ｐａを延設させるとともに、スロットマシンＳからメダル搬送部Ｂａに向かってメダルを排出させるためのメダル排出流路Ｓａを延設させたので、パチンコ遊技機ＰとスロットマシンＳとを混合させつつ任意位置に容易かつ円滑に設置することができるとともに、パチンコ遊技機Ｐから排出された遊技球とスロットマシンＳから排出されたメダルとを確実に区分けして回収させることができる。
【００３０】
以上、本実施形態について説明したが、本発明はこれに限定されるものではなく、例えば図８、９に示すように、ベルト式搬送コンベア４の搬送ベルトＢは、一方の島端１ａに向かって低くなる如く傾斜して配設されるものとしてもよい。これにより、搬送ベルトＢにおける遊技球搬送部Ｂｂは、一方の島端１ａに向かって低く配設されることから、パチンコ遊技機Ｐから排出されて遊技球搬送部Ｂｂに至った遊技球は、搬送ベルトＢによる搬送力に加え自重によっても一方の島端１ａに向かって搬送されることとなり、より円滑な遊技球の回収を図ることができる。
【００３１】
また、上記実施形態においては、正面側に複数のパチンコ遊技機Ｐ（図１参照）が設置されるとともに、背面側に複数のスロットマシンＳ（図２参照）が設置されているが、図１０、１１に示すように、パチンコ遊技機ＰとスロットマシンＳとが１つの島設備１においてランダム（任意選択的）に配設されたものとしてもよい。勿論、１つの島設備１において、パチンコ遊技機Ｐ又はスロットマシンＳの何れか一方のみを配設させ、他方に交換容易なものとしてもよい。
【００３２】
さらに、本実施形態においては、一方の島端１ａと他方の島端１ｂとの間に亘って搬送ベルトＢを回動させるベルト式搬送コンベア４を配設させ、遊技球搬送部Ｂｂに対してパチンコ遊技機Ｐから遊技球を排出させて当該一方の島端１ａまで搬送可能とされるとともに、メダル搬送部Ｂａに対してスロットマシンＳからメダルを排出させて当該他方の島端１ｂまで搬送可能とされているが、パチンコ遊技機Ｐから遊技球搬送部に向かって遊技球を排出させるための遊技球排出流路Ｐａを延設させるとともに、スロットマシンＳからメダル搬送部に向かってメダルを排出させるためのメダル排出流路Ｓａを延設させたものであれば足り、パチンコ遊技機Ｐから排出された遊技球を搬送可能な遊技球搬送部と、スロットマシンＳから排出されたメダルを搬送可能なメダル搬送部とを別個の手段にてそれぞれ配設させたもの、或いはベルト式搬送コンベア４以外の搬送手段を用いたもの等としてもよい。
【００３３】
またさらに、本実施形態においては、一方の島端１ａと他方の島端１ｂとの間に亘って搬送ベルトＢを回動させるベルト式搬送コンベア４を配設させ、遊技球搬送部Ｂｂに対してパチンコ遊技機Ｐから遊技球を排出させて当該一方の島端１ａまで搬送可能とされるとともに、メダル搬送部Ｂａに対してスロットマシンＳからメダルを排出させて当該他方の島端１ｂまで搬送可能とされているが、ベルト式搬送コンベア４（他の搬送手段とした場合も同様）は島設備１の長手方向に亘って配設されていれば足り、例えば遊技球用補給装置２を島設備１の中央近傍に配設させる一方、メダル用補給装置３を島設備１の他方の島端１ｂに配設させ、それら遊技球用補給装置２とメダル用補給装置３の間にベルト式搬送コンベア４を配設するようにしてもよい。
【００３４】
なお、本実施形態においては、メダル用補給装置３においてジョッキ１１が配設され、当該ジョッキ１１に収容されたメダルを手作業で各スロットマシンＳに補給するものとされているが、これに代えて、島設備１の内部における上部の長手方向にメダルを搬送するコンベア等の搬送手段を具備させ、揚送機１０にて揚送されたメダルを当該搬送手段にて搬送させて各スロットマシンＳに対して自動的にメダルを補給可能なものとしてもよい。
【産業上の利用可能性】
【００３５】
長手方向に亘って搬送ベルトを回動させるベルト式搬送コンベアを配設させ、その搬送ベルトにおける一方の島端に向かう部位に対してパチンコ遊技機から遊技球を排出させて当該一方の島端まで搬送可能とされるとともに、当該搬送ベルトにおける他方の島端に向かう部位に対してスロットマシンからメダルを排出させて当該他方の島端まで搬送可能とされた島設備であれば、外観形状が異なるもの或いは他の機能が付加されたもの等にも適用することができる。
【符号の説明】
【００３６】
１  島設備
１ａ  一方の島端
１ｂ  他方の島端
２  遊技球用補給装置
３  メダル用補給装置
４  ベルト式搬送コンベア
５  遊技球研磨装置
６  揚送機
７  供給タンク
８  補給レーン
９  メダル洗浄機
１０  揚送機
１１  ジョッキ
１２  膳板
１３  取付板
１４  排出手段
１５  案内路
Ｂ  搬送ベルト
Ｂａ  メダル搬送部
Ｂｂ  遊技球搬送部
【図１】
2014108229.tif 000003
【図２】
2014108229.tif 000004
【図３】
2014108229.tif 000005
【図４】
2014108229.tif 000006
【図５】
2014108229.tif 000007
【図６】
2014108229.tif 000008
【図７】
2014108229.tif 000009
【図８】
2014108229.tif 000010
【図９】
2014108229.tif 000011
【図１０】
2014108229.tif 000012
【図１１】
2014108229.tif 000013